(57)【要約】【課題】  設計の効率を維持しつつ、設計者の能力を向上させることが可能な設計システム及び設計プログラムを提供する。また、設計者の業務経験を確認することが可能な設計システム及び設計プログラムを提供する。【解決手段】  本発明の設計システムのサーバは、端末の使用者を識別する識別部３０５と、端末に送信する画面の情報であって、使用者に応じて設計手順に関する問題が設定されている情報を選択する選択部３０３と、画面の情報に基づいて入力された、使用者が使用する端末から送信された設計手順の画面の情報を要求する情報に対して、画面を要求された設計手順に設定された問題に使用者が正解しているか否かを判断する判断部３０４と、要求された設計手順に設定された問題に使用者が正解していると判断された場合に、使用者が要求する画面の情報を使用者が使用する端末に送信する送信部３０６とを備える。【選択図】  図３
2006221441.tif 000002
【特許請求の範囲】
【請求項１】
端末の使用者を識別する識別手段と、
前記端末に送信する画面の情報であって、前記使用者に応じて設計手順に関する問題が設定されている情報を選択する選択手段と、
前記画面の情報に基づいて入力された、前記使用者が使用する端末から送信された設計手順の画面の情報を要求する情報に対して、該画面を要求された設計手順に設定された問題に前記使用者が正解しているか否かを判断する判断手段と、
前記要求された設計手順に設定された問題に前記使用者が正解していると判断された場合に、前記使用者が要求する画面の情報を前記使用者が使用する端末に送信する送信手段とを備える設計システム。
【請求項２】
前記使用者が使用する端末から送信された、前記画面を要求された設計手順に設定された問題に対する解答を格納する格納手段と、
該格納手段に格納された解答に基づいて、使用者ごとの業務経験に関する情報を作成する作成手段とを備える請求項１記載の設計システム。
【請求項３】
コンピュータを、
端末の使用者を識別する識別手段、
前記端末に送信する画面の情報であって、前記使用者に応じて設計手順に関する問題が設定されている情報を選択する選択手段、
前記画面の情報に基づいて入力された、前記使用者が使用する端末から送信された設計手順の画面の情報を要求する情報に対して、該画面を要求された設計手順に設定された問題に前記使用者が正解しているか否かを判断する判断手段、及び、
前記要求された設計手順に設定された問題に前記使用者が正解していると判断された場合に、前記使用者が要求する画面の情報を前記使用者が使用する端末に送信する送信手段として機能させる設計プログラム。
【請求項４】
前記コンピュータを、
前記使用者が使用する端末から送信された、前記画面を要求された設計手順に設定された問題に対する解答を格納する格納手段、及び、
該格納手段に格納された解答に基づいて、使用者ごとの業務経験に関する情報を作成する作成手段として機能させる請求項３記載の設計プログラム。
【発明の詳細な説明】
【技術分野】
【０００１】
本発明は、設計手順を設計者の端末に表示する設計システム及び設計プログラムに関する。
【背景技術】
【０００２】
従来、自動車などの設計過程において各設計手順を端末上に表示し、詳細な設計作業を設計者に確認可能にするシステム（以下、ナビゲーションシステムともいう。）が知られている。そして、このような従来のナビゲーションシステムでは、ナビゲーションの手順に従うだけで、例えば若手設計者であっても、効率的、かつ、品質を確保した設計が可能である。
【特許文献１】特開２００１−６７３８０号公報
【特許文献２】特開２０００−２９８６８５号公報
【特許文献３】特開２００２−１１７１００号公報
【発明の開示】
【発明が解決しようとする課題】
【０００３】
しかしながら、上記のような従来技術では、設計者が予め定められたナビゲーションシステムの手順に従うだけとなってしまう場合がある。そのため、従来のナビゲーションシステムでは、ナビゲーションシステムの手順を選択し、業務を実施するだけであるため、設計者は、エンジニアとして能力を高めることは困難である。また、従来のナビゲーションシステムは、各設計者の業務経験を確認することはできなかった。
【０００４】
本発明は上記事情に鑑みなされたもので、設計の効率を維持しつつ、設計者の能力を向上させることが可能な設計システム及び設計プログラムを提供することを目的とする。また、設計者の業務経験を確認することが可能な設計システム及び設計プログラムを提供することを目的とする。
【課題を解決するための手段】
【０００５】
上記目的を達成するため、本発明の設計システムは、
端末の使用者を識別する識別手段と、
前記端末に送信する画面の情報であって、前記使用者に応じて設計手順に関する問題が設定されている情報を選択する選択手段と、
前記画面の情報に基づいて入力された、前記使用者が使用する端末から送信された設計手順の画面の情報を要求する情報に対して、該画面を要求された設計手順に設定された問題に前記使用者が正解しているか否かを判断する判断手段と、
前記要求された設計手順に設定された問題に前記使用者が正解していると判断された場合に、前記使用者が要求する画面の情報を前記使用者が使用する端末に送信する送信手段とを備える。
【０００６】
また、本発明の設計システムは、
前記使用者が使用する端末から送信された、前記画面を要求された設計手順に設定された問題に対する解答を格納する格納手段と、
該格納手段に格納された解答に基づいて、使用者ごとの業務経験に関する情報を作成する作成手段とを備える。
【０００７】
また、本発明の設計プログラムは、
コンピュータを、
端末の使用者を識別する識別手段、
前記端末に送信する画面の情報であって、前記使用者に応じて設計手順に関する問題が設定されている情報を選択する選択手段、
前記画面の情報に基づいて入力された、前記使用者が使用する端末から送信された設計手順の画面の情報を要求する情報に対して、該画面を要求された設計手順に設定された問題に前記使用者が正解しているか否かを判断する判断手段、及び、
前記要求された設計手順に設定された問題に前記使用者が正解していると判断された場合に、前記使用者が要求する画面の情報を前記使用者が使用する端末に送信する送信手段として機能させる。
【０００８】
また、本発明の設計プログラムは、
前記コンピュータを、
前記使用者が使用する端末から送信された、前記画面を要求された設計手順に設定された問題に対する解答を格納する格納手段、及び、
該格納手段に格納された解答に基づいて、使用者ごとの業務経験に関する情報を作成する作成手段として機能させる。
【発明の効果】
【０００９】
このように、本発明では、使用者ごとに設計手順に関する問題が設定された情報を選択して端末に送信すると共に、この問題に正解している場合に要求された設計手順の画面の情報を端末に送信するため、例えば設計経験が未熟な者に対しては問題を多くして能力の向上を図ることができ、設計経験が豊富な者に対しては問題を少なくして設計の効率を向上させることができる。
【００１０】
また、本発明では、設計手順に設定された問題に対する使用者の解答を格納し、この解答に基づいて使用者の業務経験に関する情報を作成しているため、システムを使用する者の業務経験を適切に把握することができ、最適な人員配置や、人材の育成を考慮した部品担当及び移動を効率的に行うことができる。
【発明を実施するための最良の形態】
【００１１】
以下、図面を参照して本発明を実施するための最良の形態について説明する。以下の実施の形態の構成は例示であり、本発明は実施の形態の構成に限定されない。まず、本発明の設計システムの一実施形態について図１を参照して説明する。図１は、本発明の設計システムの一実施形態の概略図である。なお、以下の説明は、本発明の設計プログラムの一実施形態の説明を兼ねる。
【００１２】
図１に示されるように、本発明の設計システムの一実施形態は、設計者に使用される端末１０１と、情報の管理を行うサーバ１０２とを備える。端末１０１とサーバ１０２とは、ネットワーク１０３により接続される。ただし、図１では端末１０１とサーバ１０２とをそれぞれ１つしか表示していないが、本発明はこのような場合に限定されるものではなく、端末１０１とサーバ１０２とがそれぞれ２台以上であっても良い。
【００１３】
次に、図１に示される端末１０１の内部構成について図２を参照して説明する。図２は、図１に示される端末の内部ブロック図である。図２に示されるように、端末は、サーバから送信された情報を受信する受信部２０１と、受信部２０１が受信した情報を表示する表示部２０２と、表示部２０２に表示された情報に基づいて情報が入力される入力部２０３と、入力部２０３により入力された情報をサーバに送信する送信部２０４と、表示処理
を終了させるか否かを判断する判断部２０５とを備える。なお、図２に示される各部のうちの少なくとも１つの機能は、端末に備えられたＣＰＵがメモリに格納されたプログラムと協働することにより実現されるとしても良い。
【００１４】
次に、図１に示されるサーバ１０２の内部構成について図３を参照して説明する。図３は、図１に示されるサーバの内部ブロック図である。図３に示されるように、サーバは、格納部３０２に格納された情報に基づいて、設計者毎に、設計分野に対する業務経験の情報を作成する業務経験作成部３０１と、情報を格納する格納部３０２と、端末に送信する情報を選択する選択部３０３と、端末から受信した情報に基づいて、端末にどのような情報を送信するかを判断する判断部３０４と、端末から受信した情報に基づいて端末を使用する設計者を識別する識別部３０５と、選択部３０３において選択された情報を端末に送信する送信部３０６と、端末から送信された情報を受信する受信部３０７とを備える。なお、図３に示される各部のうちの少なくとも１つの機能は、サーバに備えられたＣＰＵがメモリに格納されたプログラムと協働することにより実現されるとしても良い。
【００１５】
ここで、図３に示される格納部３０２に格納される情報の一例について図４を参照して説明する。図４は、図３に示される格納部に格納される情報の一例の概念図である。図４に示される情報は、設計者の入社年次と、氏名と、従業員コードの対応関係を示している。なお、図３に示される格納部に格納される情報は、図４に示される情報に限定されるものではなく、例えば、端末に表示される画面の情報や、端末に表示される問題の情報なども含む。
【００１６】
次に、図１に示される設計システムの動作について図５を参照して説明する。図５は、図１に示される設計システムの一実施形態の動作のフローチャートである。図５に示されるように、まず、端末は、表示された画面にしたがって所定の情報を入力する（Ｓ５０１）。ここで、Ｓ５０１において端末に表示される画面の一例について図６を参照して説明する。図６は、本発明の設計システムの一実施形態の端末に表示される画面の一例の概念図である。
【００１７】
図６に示されるように、端末には、従業員コードの入力欄６０１と、パスワードの入力欄６０２とが表示される。端末の使用者は、例えばキーボードなどを用いて従業員コードやパスワードを入力する。
【００１８】
次に、本実施形態の端末は、サーバにＳ５０１において入力された従業員コードやパスワードの情報を送信する（Ｓ５０２）。次に、本実施形態のサーバは、端末から送信された従業員コードやパスワードの情報を受信する（Ｓ５０３）。
【００１９】
次に、本実施形態のサーバは、受信した情報に基づいて、端末を使用している設計者を識別する（Ｓ５０４）。この識別は、各設計者に一意に割り振られている従業員コードにより行われる。また、本実施形態のサーバは、この従業員コードを用いてこの従業員の業務経験や経験車数を管理する。
【００２０】
次に、本実施形態のサーバは、識別結果に基づいて端末に送信する情報を選択する（Ｓ５０５）。すなわち、本実施形態では、サーバは、端末を使用する設計者毎に、端末に送信する情報を変更する。例えば、本実施形態のサーバは、端末の使用者が入社２年目の設計者である場合は、端末の使用者が入社８年目のベテランである場合に比べて、設計に関する問題をより多く含んだ表示画面の情報を端末に送信する。
【００２１】
また、例えば、本実施形態のサーバは、端末の使用者が、情報を表示する設計分野の業務経験が３年の設計者である場合は、情報を表示する設計分野の業務経験が７年のベテラ
ンである場合に比べて、設計に関する問題をより多く含んだ表示画面の情報を端末に送信する。このように、本実施形態のサーバは、ある分野について業務経験が一定程度以上あると評価された設計者の場合には、問題を表示せずに設計手順の画面を表示可能としている。
【００２２】
次に、本実施形態のサーバは、選択した情報を端末に送信する（Ｓ５０６）。次に、本実施形態の端末は、サーバから送信された情報を受信する（Ｓ５０７）。次に、端末は、受信した情報を表示する（Ｓ５０８）。
【００２３】
ここで、Ｓ５０８において、端末に表示される画面について図７及び図８を参照して説明する。図７は、本発明の設計システムの一実施形態において、情報を表示しようとする分野の業務経験が比較的少ない設計者が使用する端末に表示される画面の一例の概念図であり、図８は、本発明の設計システムの一実施形態において、情報を表示しようとする分野の業務経験が比較的多い設計者が使用する端末に表示される画面の一例の概念図である。
【００２４】
図７及び図８に示されるように、端末の画面には、部品タイプ一覧のリンク７０１と、部品構成図のリンク７０２と、性能目標のリンク７０３とを備える。ここで、部品タイプ一覧のリンク７０１は、部品のタイプを示す情報にリンクが張られている。また、部品構成図のリンク７０２は、各タイプの部品構成図を示す情報にリンクが張られている。また、性能目標のリンク７０３は、性能目標を示す情報にリンクが張られている。
【００２５】
また、図７に示されるように、端末の画面には、部品タイプ一覧選択時の注意点のリンク７０４と、部品構成図選択時の注意点のリンク７０５とを備える。また、図７及び図８に示されるように、端末の画面には、性能目標決定時の注意点のリンク７０６が備えられる。
【００２６】
部品タイプ一覧選択時の注意点のリンク７０４は、部品タイプの一覧を選択する際の注意点を尋ねる問題の情報にリンクが張られている。また、部品構成図選択時の注意点のリンク７０５は、部品構成図選択時の注意点を尋ねる問題の情報にリンクが張られている。また、性能目標決定時の注意点のリンク７０６は、性能目標決定時の注意点について尋ねる問題の情報にリンクが張られている。
【００２７】
本実施形態の端末では、部品タイプ一覧のリンク７０１と、部品構成図のリンク７０２と、性能目標のリンク７０３とをクリックして開くためには、それぞれに問題が設定されている場合は、これらの問題に正解しなければならない。
【００２８】
すなわち、図７に示される画面が表示される端末を使用する設計者は、部品タイプ一覧のリンク７０１を開くために、部品タイプ一覧選択時の注意点のリンク７０４を開いて表示される、部品タイプの一覧を選択する際の注意点を尋ねる問題に正解しなければならない。他方、図８に示される画面が表示される端末を使用する設計者は、部品タイプ一覧のリンク７０１に問題が設定されていないため、特に問題に正解しなくとも、部品タイプ一覧のリンク７０１をクリックして開くことができる。
【００２９】
また、図７に示される画面が表示される端末を使用する設計者は、部品構成図のリンク７０２を開くために、部品構成図選択時の注意点のリンク７０５を開いて表示される、部品構成図選択時の注意点を尋ねる問題に正解しなければならない。他方、図８に示される画面が表示される端末を使用する設計者は、部品構成図のリンク７０２に問題のリンクが設定されていないため、特に問題に正解しなくとも、部品構成図のリンク７０２をクリックして、その情報を開くことができる。
【００３０】
また、図７に示される画面が表示される端末、及び、図８に示される画面が表示される端末を使用する設計者は、性能目標のリンク７０３を開くために、性能目標決定時の注意点のリンク７０６を開いて表示される、性能目標決定時の注意点を尋ねる問題に正解しなければならない。
【００３１】
ここで、本実施形態において端末に表示される問題の画面について図９を参照して説明する。図９は、本発明の設計システムの一実施形態の端末に表示される問題を示す画面の一例の概念図である。
【００３２】
図９に示されるように、端末には、問題９０１と、問題を説明するための説明図９０２とが表示されている。図９に示される画面を確認した設計者は、問題に対して正解と考える解答を、例えばキーボードやマウスを用いて入力する。なお、図９に示される問題は、図７や図８に示される性能目標決定時の注意点のリンク７０６を開いた際に画面に表示される問題である。
【００３３】
次に、端末は、画面に表示された情報に基づいて情報が入力される（Ｓ５０９）。上述のように、端末に入力される情報には、（１）設計手順に関する情報の表示指示について情報と、（２）問題に対する解答とが含まれ、さらに、（１）設計手順に関する情報の表示指示の情報には、（１−１）次の設計手順画面の表示指示（例えば、図７に示される、部品タイプ一覧のリンク７０１をクリックした場合）と、（１−２）問題の表示指示（例えば、図７に示される部品タイプ一覧選択時の注意点のリンク７０４をクリックした場合）とが含まれる。以下、上記のそれぞれの場合に分けて説明する。
【００３４】
（１−１）次の設計手順画面の表示指示の情報が入力された場合
この場合、端末は、入力された情報をサーバに送信する（Ｓ５１０）。そして、サーバは、端末から送信された情報を受信する（Ｓ５１１）。そして、サーバは、次に表示する画面の情報を選択する（Ｓ５１２）。
【００３５】
すなわち、サーバは、Ｓ５１２において、まず、設計手順の欄に問題のリンクが設定されているか否かを判断する。そして、問題のリンクが設定されていれば、サーバは、次の設計手順の画面への移行はできないと判断する。この場合、サーバは、現在表示されている画面と同じ画面の情報を選択し、端末に送信する（Ｓ５１３）。
【００３６】
一方、サーバは、Ｓ５１２において、設計手順の欄に問題のリンクが設定されていなければ、次の設計手順の画面への移行はできると判断する。この場合、サーバは、次の設計手順画面の表示指示のリンクに対応する表示画面の情報を選択し、端末に送信する（Ｓ５１３）。
【００３７】
（１−２）問題の表示指示の情報が入力された場合
この場合、端末は、入力された情報をサーバに送信する（Ｓ５１０）。そして、サーバは、端末から送信された情報を受信する（Ｓ５１１）。そして、サーバは、端末に対して、問題の情報を選択する（Ｓ５１２）。そして、サーバは、この選択された情報を端末に送信する（Ｓ５１３）。
【００３８】
（２）問題に対する解答の情報が入力された場合
この場合、端末は、入力された情報をサーバに送信する（Ｓ５１０）。そして、サーバは、端末から送信された情報を受信する（Ｓ５１１）。そして、サーバは、受信した情報が、問題の解答として正しいか否かを判断する。そして、サーバは、解答が正しい場合は、解答が正しいことを示す画面の情報を選択して（Ｓ５１２）、端末に送信する（Ｓ５１
３）。この場合に送信される画面の一例を図１０に示す。図１０は、本発明の設計システムの一実施形態の端末に表示される画面の一例の概念図である。図１０に示される例では、設計者は、部品タイプ一覧選択時の注意点、及び、部品構成図選択時の注意点の問題に対して、正解している。そのため、図１０に示される例では、部品タイプ一覧選択時の注意点、及び、部品構成図選択時の注意点の問題のチェックボックス１００１、１００２に正解を示すチェックが入っている。
【００３９】
次に、端末は、サーバから送信された情報を受信する（Ｓ５１４）。そして、端末は、この受信した情報を表示し（Ｓ５１５）、設計者による設計システムの利用が終了したのか否かを判断する（Ｓ５１６）。端末は、設計システムの利用が終了していれば動作を終え、設計システムの利用が終了していなければ、Ｓ５０９に移行して、処理を繰り返す。一方、サーバは、端末から送信された、問題の解答を格納する（Ｓ５１７）。Ｓ５１７において格納された情報は、後述する業務経験作成処理において使用される。
【００４０】
次に、本発明の設計システムの一実施形態のサーバによる、業務経験作成処理について、図１１及び図１２を参照して説明する。図１１は、本発明の設計システムの一実施形態のサーバによる、業務経験作成処理の動作のフローチャートであり、図１２は、本発明の設計システムの一実施形態において作成される業務経験の情報の概念図である。
【００４１】
図１１に示されるように、サーバは、格納部に格納されている、問題に対する解答、設計者の経験年数、設計者の入社年次、経験した車数などにより、それぞれの設計者及び各分野毎に業務経験に関する情報を作成する。
【００４２】
図１２に示される例では、各設計者の業務経験は、業務経験（レベル）が上がるほど、高い点数となる。ここで、本実施形態では、各設計者の業務経験は、問題に対する解答、設計者の経験年数、設計者の入社年次、経験した車数などにより決定されるが、これらをどの程度重み付けして、業務経験に反映させるかについては、適宜決定して良い。
【００４３】
以上のように、本発明の設計システムの一実施形態によれば、設計者に対して問題を表示し、正解しなければ、次の設計手順の画面を表示しないこととしたため、設計者の能力を向上させることができる。
【００４４】
また、本発明の設計システムの一実施形態によれば、ある分野について業務経験が一定程度以上あると評価された設計者の場合には、問題を表示せずに設計手順の画面を表示可能としているため、設計効率を向上させることができる。
【００４５】
さらに、本発明の設計システムの一実施形態によれば、業務経験の情報を作成するため、人員配置を最適化することができ、人材の育成を考慮した部品担当や移動などを効率的に実施することができる。
【図面の簡単な説明】
【００４６】
【図１】本発明の設計システムの一実施形態の概略図である。
【図２】図１に示される端末の内部ブロック図である。
【図３】図１に示されるサーバの内部ブロック図である。
【図４】図３に示される格納部に格納される情報の一例の概念図である。
【図５】図１に示される設計システムの一実施形態の動作のフローチャートである。
【図６】本発明の設計システムの一実施形態の端末に表示される画面の一例の概念図である。
【図７】本発明の設計システムの一実施形態において、情報を表示しようとする分野の業務経験が比較的少ない設計者が使用する端末に表示される画面の一例の概念図である。
【図８】本発明の設計システムの一実施形態において、情報を表示しようとする分野の業務経験が比較的多い設計者が使用する端末に表示される画面の一例の概念図である。
【図９】本発明の設計システムの一実施形態の端末に表示される問題を示す画面の一例の概念図である。
【図１０】本発明の設計システムの一実施形態の端末に表示される画面の一例の概念図である。
【図１１】本発明の設計システムの一実施形態のサーバによる、業務経験作成処理の動作のフローチャートである。
【図１２】本発明の設計システムの一実施形態において作成される業務経験の情報の概念図である。
【符号の説明】
【００４７】
１０１  端末
１０２  サーバ
１０３  ネットワーク
２０１  受信部
２０２  表示部
２０３  入力部
２０４  送信部
２０５  判断部
３０１  業務経験作成部
３０２  格納部
３０３  選択部
３０４  判断部
３０５  識別部
３０６  送信部
３０７  受信部
６０１  従業員コードの入力欄
６０２  パスワードの入力欄
７０１  部品タイプ一覧のリンク
７０２  部品構成図のリンク
７０３  性能目標のリンク
７０４  部品タイプ一覧選択時の注意点のリンク
７０５  部品構成図選択時の注意点のリンク
７０６  性能目標決定時の注意点のリンク
９０１  問題
９０２  説明図
１００１，１００２  チェックボックス
【図１】
2006221441.tif 000003
【図２】
2006221441.tif 000004
【図３】
2006221441.tif 000005
【図４】
2006221441.tif 000006
【図５】
2006221441.tif 000007
【図６】
2006221441.tif 000008
【図７】
2006221441.tif 000009
【図８】
2006221441.tif 000010
【図９】
2006221441.tif 000011
【図１０】
2006221441.tif 000012
【図１１】
2006221441.tif 000013
【図１２】
2006221441.tif 000014